(57)【要約】単位面積当たりのインキ消費量値が０．６４〜１．６ｍｇ／ｃｍ２となるように形成されているボールペンにおいて、紙面に転写されたインキの速乾性と、チップの先端の非乾燥性とを両立させつつ、書き味も良くするため、ボールペン用インキ中の水の含有量を３０．０〜８０．０重量％の範囲に調整し、揮発抑制物質の含有量を０．１〜１０．０重量％の範囲に調整し、難揮発水溶性液体溶媒の含有量を１．０〜４０．０重量％の範囲に調整する。【特許請求の範囲】
【請求項１】
単位面積当たりのインキ消費量値が０．６４〜１．６ｍｇ／ｃｍ２となるように形成されているボールペンに用いられるボールペン用インキであって、
水を３０．０〜８０．０重量％含有し、
揮発抑制物質を０．１〜１０．０重量％含有し、
難揮発水溶性液体溶媒を１．０〜４０．０重量％含有することを特徴とするボールペン用インキ。
【請求項２】
揮発抑制物質は、マルチトールを主成分とする還元糖、ソルビトールを主成分とする還元糖、還元オリゴ糖、還元マルトオリゴ糖、還元デキストリン、還元マルトデキストリン、α−サイクロデキストリン、β−サイクロデキストリン、マルトシルサイクロデキストリン、還元澱粉糖化物、還元麦芽糖、からなる群より選ばれる１又は２以上の化合物によって構成されていることを特徴とする請求項１記載のボールペン用インキ。
【請求項３】
難揮発水溶性液体溶媒は、グリセリン、プロピレングリコール、ポリエチレングリコールなどの多価アルコール類、エチレングリコールモノメチルエーテルなどのエーテル類、グリセリンのアルキレンオキサイド付加物、ポリグリセリンのアルキレンオキサイド付加物、トリメチロールプロパンのアルキレンオキサイド付加物、からなる群より選ばれる１又は２以上の化合物によって構成されていることを特徴とする請求項１又は２記載のボールペン用インキ。
【請求項４】
単位面積当たりのインキ消費量値が０．６４〜１．６ｍｇ／ｃｍ２となるように形成されているボールペンであって、
水を３０．０〜８０．０重量％含有し、
揮発抑制物質を０．１〜１０．０重量％含有し、
難揮発水溶性液体溶媒を１．０〜４０．０重量％含有するボールペン用インキが充填されていることを特徴とするボールペン。
【発明の詳細な説明】
技術分野
本発明は、中粘度インキ、中性インキ、ゲルインキ、あるいは水性ゲルインキなどと呼ばれるボールペン用インキ、及びそのボールペン用インキを用いたボールペンに関し、特に、インキの消費量が大きいボールペン、即ち、太くて濃い字を書くためのボールペンに用いるボールペン用インキ、及びそのボールペン用インキを用いた太字用ボールペンに関するものである。
背景技術
従来から、種々のボールペンが提供されている。
例えば、溶剤として水又は水溶性溶媒を用いると共に、着色剤として染料又は顔料を用いたインキ（以下、「水性インキ」という。）を充填したボールペン（以下、「水性ボールペン」という。）が提供されている。
この水性ボールペンは、インキの粘性が低いため、低い筆記圧で筆記することができ、書き味が滑らかであるという利点を有している。しかし、その反面、振動や衝撃が加わると、チップの先端からインキが漏れ出してしまう現象（以下、「直流現象」という。）や、チップの先端からチップの内部に空気を巻き込んでしまう現象（以下、「逆流現象」という。）を起こし易いという欠点を有している。更に、この水性ボールペンは、描線がにじみ易いという欠点をも有している。
一方、溶剤として有機溶媒を用いると共に、着色剤として染料又は顔料を用いたインキ（以下、「油性インキ」という。）を充填したボールペン（以下、「油性ボールペン」という。）も提供されている。
この油性ボールペンは、インキの粘性が高いため、水性ボールペンに見られるような欠点は有していないものの、筆記のために高い筆記圧を必要とし、書き味が重いという欠点を有している。更に、この油性ボールペンは、チップの先端や紙面上をインキの塊で汚してしまう現象（以下、「ボテ現象」という。）を起こし易いという欠点をも有している。
また、最近では、溶剤として水又は水溶性溶媒を用いると共に、着色剤として染料又は顔料を用い、更に、擬塑性化剤を添加することにより、擬塑性を有するようにしたインキ（以下、「水性ゲルインキ」という。）を充填したボールペン（以下、「水性ゲルインキボールペン」という。）が提供されている。
なお、擬塑性とは、静止状態においては非流動性を示すものの、剪断力が加えられると流動性を示す性質をいう。
この水性ゲルインキは、インキタンク内では油性インキのような非流動性を示し、一方、チップの先端近辺では、ボールの回転により剪断力が加えられるため、水性インキのような流動性を示す。
従って、この水性ゲルインキボールペンは、水性ボールペンが有する利点と、油性ボールペンが有する利点とを併せ持つこととなる。即ち、この水性ゲルインキボールペンは、低い筆記圧で筆記でき、書き味が滑らかであると共に、描線がにじみにくく、ボテ現象も起こしにくいのである。
ところで、この水性ゲルインキボールペンの製造は、実際には容易ではない。
例えば、ボールの直径が０．５ｍｍのチップと、ボールの直径が０．７ｍｍのチップとでは、ボールとホルダーとの間のクリアランスが異なると共に、ボールの回転によりインキに加えられる剪断力が異なることにより、一方のチップに適した水性ゲルインキを他方のチップに使用すると、直流現象や逆流現象を起こしたり、あるいはボテ現象を起こしたりしてしまう。
従って、使用するチップに合わせて、水性ゲルインキの粘度などの調整を行う必要がある。
更に、最近では、比較的太くて濃い字を書くことができる水性ゲルインキボールペン（以下、「太字水性ゲルインキボールペン」という。）が求められている。
この太字水性ゲルインキボールペンでは、太い字に対応するため、直径が０．９ｍｍ以上のボールが用いられる。
また、ボールの直径を大きくしただけでは、描線の幅は広くできるものの、描線の色が薄く見えてしまうこととなるので、この太字水性ゲルインキボールペンでは、ボールとホルダーとの間のクリアランスも比較的大きく形成される。
更に、この太字水性ゲルインキボールペンでは、ボールの直径を大きくした分と、ボールとホルダーとの間のクリアランスを大きくした分とに見合うだけの多量のインキをチップに供給する必要がある。
具体的には、単位面積当たりのインキ消費量値が０．６４〜１．６ｍｇ／ｃｍ２程度となるように、チップにインキを供給する必要がある。
そして、このようなインキの消費量は、従来の水性ゲルインキボールペンにおけるインキ消費量の１．５倍から３倍にも相当するのである。
ところが、インキ消費量を増大させると、紙面に転写されたインキが乾燥しにくくなってしまう。
このため、このような太字水性ゲルインキボールペンでは、紙面に転写されたインキの速乾性を向上させることを目的として、インキ中の水の含有量を比較的多くすることが行われる。
しかし、インキ中の水の含有量を比較的多くすると、紙面に転写されたインキの速乾性は向上するものの、一方で、チップの先端が乾燥し易くなってしまうという不都合が生じる。
また、インキ中の水の含有量を比較的多くすると、ボールとホルダーとの間の摩擦抵抗が大きくなることにより、書き味が悪くなってしまうという不都合も生じる。
即ち、紙面に転写されたインキの速乾性を向上させようとすると、チップの先端が乾燥し易く、また、書き味が悪くなってしまうのである。
そして、紙面に転写されたインキの速乾性とチップの先端の非乾燥性とを両立させつつ、書き味の良さも維持するということは、極めて困難であった。
発明の開示
そこで、本発明のうち請求項１ないし３に記載した発明は、上述したような太字水性ゲルインキボールペンに用いるボールペン用インキであって、紙面に転写された際の速乾性に優れ、また、チップの先端を乾燥させにくく、更に、書き味をも良くするボールペン用インキを提供することを目的とする。
更に、本発明のうち請求項４に記載した発明は、上述したような太字水性ゲルインキボールペンであって、紙面に転写されたインキが乾燥し易く、また、チップの先端は乾燥しにくく、更に、書き味も良いボールペンを提供することを目的とする。
本発明者等は、上記目的を達成するために鋭意研究を重ねた結果、上述したような太字水性ゲルボールペンに充填するボールペン用インキにあっては、水の含有量を比較的多くすると共に、所定量の揮発抑制物質と難揮発水溶性液体溶媒とを添加することにより、紙面に転写された際の速乾性とチップの先端の非乾燥性とを両立させ、且つ、書き味の良さも維持できることを見出し、以下に示す発明を完成させるに至った。
即ち、本発明のうち請求項１に記載した発明は、単位面積当たりのインキ消費量値が０．６４〜１．６ｍｇ／ｃｍ２となるように形成されているボールペンに用いられるボールペン用インキであって、水を３０．０〜８０．０重量％含有し、揮発抑制物質を０．１〜１０．０重量％含有し、難揮発水溶性液体溶媒を１．０〜４０．０重量％含有することを特徴とする。
ここで、「単位面積当たりのインキ消費量値」とは、「単位長さ当たりのインキ消費量値」を、「描線幅」で除することによって求められる値をいう。
また、「単位長さ当たりのインキ消費量値」とは、ＩＳＯ規格による単位長さ当たりのインキ消費量値をいう。
この単位長さ当たりのインキ消費量値は、ＩＳＯ規格１４１４５−１に準拠した筆記試験機を用い、所定の条件（例えば、筆記速度４．５ｍ／分、筆記角度６０°、筆記負荷１００ｇの条件）で測定することができる。
また、太字水性ゲルインキボールペンの単位長さ当たりのインキ消費量値は、３００〜７５０ｍｇ／１００ｍ程度が好ましい。単位長さ当たりのインキ消費量値が３００ｍｇ／１００ｍ以下では、描線の色が薄く見えてしまい、一方、単位長さ当たりのインキ消費量値が７５０ｍｇ／１００ｍ以上では、紙面に転写されたインキが乾きにくくなってしまうからである。
また、「描線幅」とは、紙面上に描かれる描線の幅をいう。
この描線幅は、紙質によって異なるが、例えば、ＩＳＯ規格１４１４５−１に準拠した筆記試験用紙に描いた場合には、ボールの直径が１．０ｍｍであれば０．４７ｍｍ程度となる。
従って、例えば、ボールの直径が１．０ｍｍの太字水性ゲルインキボールペンにおける単位面積当たりのインキ消費量値は、０．６４〜１．６ｍｇ／ｃｍ２程度となるのである。
なお、単位面積当たりのインキ消費量値が０．６４〜１．６ｍｇ／ｃｍ２の範囲に調整されれば、ボールの直径は、１．０ｍｍに限られず、例えば、０．９ｍｍとしてもよく、また、１．１ｍｍとしてもよい。
また、「水」には、例えば、蒸留水やイオン交換水などを用いることができる。
また、水の含有量は、ボールペン用インキの全量に対して３０．０〜８０．０重量％程度が好ましい。水の含有量が３０．０重量％以下では、紙面に転写された際に極めて乾燥しにくくなり、また、チップの先端からのインキの流出量が低下してしまう。一方、水の含有量が８０．０重量％以上では、チップの先端が極めて乾燥し易くなり、また、インキが経時的に不安定になってしまうからである。
そして、水の含有量を３０．０〜８０．０重量％とすることにより、即ち、水の含有量を比較的多くすることにより、紙面に転写された際の速乾性を向上させることができるのである。
また、「揮発抑制物質」とは、ボールペン用インキ中の水の揮発を抑制するための物質をいう。
具体的には、例えば、マルチトールを主成分とする還元糖、ソルビトールを主成分とする還元糖、還元オリゴ糖、還元マルトオリゴ糖、還元デキストリン、還元マルトデキストリン、α−サイクロデキストリン、β−サイクロデキストリン、マルトシルサイクロデキストリン、還元澱粉糖化物、還元麦芽糖などの化合物を揮発抑制物質として用いることができる。
また、これらの化合物は、それぞれ単独で用いてもよく、また、２種類以上を組み合わせて用いてもよい。
また、揮発抑制物質の含有量は、ボールペン用インキの全量に対して０．１〜１０．０重量％程度が好ましい。揮発抑制物質の含有量が０．１重量％以下では、チップの先端の乾燥を十分に防止することができず、一方、揮発抑制物質の含有量が１０．０重量％以上では、紙面に転写された際に乾燥にしにくくなり、また、描線がにじみ易くなってしまうからである。
そして、このような揮発抑制物質をボールペン用インキに添加することにより、たとえ水の含有量を比較的多くしても、チップの先端の乾燥を防止することができる。即ち、紙面に転写されたインキの速乾性とチップの先端の非乾燥性とを両立させることができるのである。
また、「難揮発水溶性液体溶媒」とは、揮発しにくく、かつ、水に溶けやすい液体の溶媒をいう。
具体的には、例えば、グリセリン、プロピレングリコール、ポリエチレングリコールなどの多価アルコール類、エチレングリコールモノメチルエーテルなどのエーテル類、グリセリンのアルキレンオキサイド付加物、ポリグリセリンのアルキレンオキサイド付加物、トリメチロールプロパンのアルキレンオキサイド付加物などの化合物を難揮発水溶性液体溶媒として用いることができる。
また、これらの化合物は、それぞれ単独で用いてもよく、また、２種類以上を組み合わせて用いてもよい。
また、難揮発水溶性液体溶媒の含有量は、ボールペン用インキの全量に対して１．０〜４０．０重量％程度が好ましい。難揮発水溶性液体溶媒の含有量が１．０重量％以下では、書き味の良さを十分に維持することができず、また、インキが経時的に不安定となってしまう。一方、難揮発水溶性液体溶媒の含有量が４０．０％以上では、紙面に転写された際に乾燥しにくくなり、また、チップの先端からのインキの流出量が低下してしまうからである。
そして、上述した揮発抑制物質に加えて、このような難揮発水溶性液体溶媒をボールペン用インキに添加することにより、たとえ水の含有量を比較的多くしても、書き味の低下を防止することができる。即ち、紙面に転写されたインキの速乾性とチップの先端の非乾燥性とを両立させつつ、書き味の良さを維持することができるのである。
なお、本発明に係るボールペン用インキは、上記した成分以外にも、例えば、着色剤、潤滑剤、防腐剤、防錆剤、ｐＨ調整剤、増粘剤などを含有する。
また、請求項２に記載したボールペン用インキは、請求項１に記載したボールペン用インキの構成に加えて、揮発抑制物質が、マルチトールを主成分とする還元糖、ソルビトールを主成分とする還元糖、還元オリゴ糖、還元マルトオリゴ糖、還元デキストリン、還元マルトデキストリン、α−サイクロデキストリン、β−サイクロデキストリン、マルトシルサイクロデキストリン、還元澱粉糖化物、還元麦芽糖、からなる群より選ばれる１又は２以上の化合物によって構成されていることを特徴とする。
即ち、これらの化合物をそれぞれ単独で用いて揮発抑制物質を構成しても良く、また、これらの化合物のうち２種以上を組み合わせて揮発抑制物質を構成してもよい。
そして、これらの化合物をそれぞれ単独で、又はこれらの化合物のうち２種以上を組み合わせて揮発抑制物質を構成することにより、チップの先端の乾燥を確実に防止することができるのである。
また、本発明のうち請求項３に記載した発明は、請求項１又は２に記載したボールペン用インキの構成に加えて、難揮発水溶性液体溶媒が、グリセリン、プロピレングリコール、ポリエチレングリコールなどの多価アルコール類、エチレングリコールモノメチルエーテルなどのエーテル類、グリセリンのアルキレンオキサイド付加物、ポリグリセリンのアルキレンオキサイド付加物、トリメチロールプロパンのアルキレンオキサイド付加物、からなる群より選ばれる１又は２以上の化合物によって構成されていることを特徴とする。
即ち、これらの化合物をそれぞれ単独で用いて難揮発水溶性液体溶媒を構成しても良く、また、これらの化合物のうち２種以上を組み合わせて難揮発水溶性液体溶媒を構成しても良い。
そして、これらの化合物をそれぞれ単独で、又はこれらの化合物のうち２種以上を組み合わせて難揮発水溶性液体溶媒を構成することにより、書き味の低下を確実に防止することができる。
更に、本発明のうち請求項４に記載した発明は、単位面積当たりのインキ消費量値が０．６４〜１．６ｍｇ／ｃｍ２となるように形成されているボールペンであって、水を３０．０〜８０．０重量％含有し、揮発抑制物質を０．１〜１０．０重量％含有し、難揮発水溶性液体溶媒を１．０〜４０．０重量％含有するボールペン用インキが充填されていることを特徴とする。
ここで、「単位面積当たりのインキ消費量値」、「揮発抑制物質」及び「難揮発水溶性液体溶媒」の意義については、上述した通りである。
そして、このように、水の含有量が比較的多く、しかも、所定量の揮発抑制物質と難揮発水溶性液体溶媒とを含有するボールペン用インキを充填することにより、紙面に転写されたインキの速乾性とチップの先端の非乾燥性とを両立させつつ、書き味も良いボールペンとすることができる。
発明を実施するための最良の形態
以下、本発明に係るボールペン用インキ、及びそのボールペン用インキを用いたボールペンの実施の形態を説明する。
（ボールペン用インキ）
本実施の形態に係るボールペン用インキは、単位面積当たりのインキ消費量値が０．６４〜１．６ｍｇ／ｃｍ２となるように形成されているボールペンに用いられるものであって、水を３０．０〜８０．０重量％含有し、揮発抑制物質を０．１〜１０．０重量％含有し、難揮発水溶性液体溶媒を１．０〜４０．０重量％含有する。
また、本実施の形態に係るボールペン用インキは、上記成分以外に、着色剤、潤滑剤、防腐剤、防錆剤、ｐＨ調整剤、増粘剤などを含有する。
（着色剤）
着色剤としては、従来からボールペン用インキに用いられてきた染料又は顔料であって、水に溶解又は分散するものすべてを用いることができる。
具体的には、例えば、Ｃ．Ｉ．アシッドブラック１、同２、同２４、同２６、同３１、同５２、同１０７、同１０９、同１１０、同１１９、同１５４、Ｃ．Ｉ．アシッドイエロー７、同１７、同１９、同２３、同２５、同２９、同３８、同４２、同４９、同６１、同７２、同７８、同１１０、同１４１、同１２７、同１３５、同１４２、Ｃ．Ｉ．アシッドレッド８、同９、同１４、同１８、同２６、同２７、同３５、同３７、同５１、同５２、同５７、同８２、同８７、同９２、同９４、同１１１、同１２９、同１３１、同１３８、同１８６、同２４９、同２５４、同２６５、同２７６、Ｃ．Ｉ．アシッドバイオレット１５、同１７、Ｃ．Ｉ．アシッドブルー１、同７、同９、同１５、同２２、同２３、同２５、同４０、同４１、同４３、同６２、同７８、同８３、同９０、同９３、同１０３、同１１２、同１１３、同１５８、Ｃ．Ｉ．アシッドグリーン３、同９、同１６、同２５、同２７などの酸性染料を着色剤として用いることができる。
また、例えば、Ｃ．Ｉ．ベーシックイエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックバイオレット１、同３、同７、Ｃ．Ｉ．ベーシックブラウン１２、Ｃ．Ｉ．ベーシックブラック２、同８などの塩基性染料を着色剤として用いることもできる。
また、例えば、Ｃ．Ｉ．ダイレクトブラック１７、同１９、同２２、同３２、同３８、同５１、同７１、Ｃ．Ｉ．ダイレクトイエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同７１、同８６、同１０６、同１１９などの直接染料を着色剤として用いることもできる。
また、例えば、酸化チタン、カーボンブラック、ベンガラ、酸化クロム、鉄黒、コバルトブルー、アルミナホワイト、酸化鉄黄、ビリジアン、硫化亜鉛、リトポン、カドミウムイエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺青、マンガンバイオレット、アルミニウム粉、ステンレス粉、ニッケル粉、銅粉、亜鉛粉、真鍮粉などの無機系顔料を着色剤として用いることもできる。
また、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などの有機系顔料、より具体的には、フタロシアニンブルー（Ｃ．Ｉ．７４１６０）、フタロシアニングリーン（Ｃ．Ｉ．７４２６０）、ハンザイエロー３Ｇ（Ｃ．Ｉ．１１６７０）、ジスアゾイエローＧＲ（Ｃ．Ｉ．２１１００）、パーマネントレッド４Ｒ（Ｃ．Ｉ．１２３３５）、ブリリアントカーミン６Ｂ（Ｃ．Ｉ．１５８５０）、キナクリドンレッド（Ｃ．Ｉ．４６５００）などの有機系顔料を着色剤として用いることもできる。
なお、これらの染料又は顔料は、それぞれ単独で用いてもよく、また、２種類以上を組み合わせて用いてもよい。
また、着色剤の含有量は、ボールペン用インキの全量に対して０．１〜４０重量％程度が好ましい。着色剤の含有量が０．１重量％以下では、描線の色が薄く見えてしまい、一方、着色剤の含有量が４０重量％以上では、インキが経時的に不安定となってしまうからである。
（難揮発水溶性液体溶媒）
また、難揮発水溶性液体溶媒としては、例えば、グリセリン、プロピレングリコール、ポリエチレングリコールなどの多価アルコール類、エチレングリコールモノメチルエーテルなどのエーテル類、グリセリンのアルキレンオキサイド付加物、ポリグリセリンのアルキレンオキサイド付加物、トリメチロールプロパンのアルキレンオキサイド付加物などの化合物を用いることができる。
なお、これらの化合物は、それぞれ単独で用いてもよく、また、２種類以上を組み合わせて用いてもよい。
また、難揮発水溶性液体溶媒の含有量は、ボールペン用インキの全量に対して１．０〜４０．０重量％程度が好ましい。難揮発水溶性液体溶媒の含有量が１．０重量％以下では、書き味の良さを十分に維持することができず、また、インキが経時的に不安定となってしまい、一方、難揮発水溶性液体溶媒の含有量が４０．０％以上では、紙面に転写された際に乾燥しにくくなり、また、チップの先端からのインキの流出量が低下してしまうからである。
（揮発抑制物質）
また、揮発抑制物質としては、例えば、マルチトールを主成分とする還元糖、ソルビトールを主成分とする還元糖、還元オリゴ糖、還元マルトオリゴ糖、還元デキストリン、還元マルトデキストリン、α−サイクロデキストリン、β−サイクロデキストリン、マルトシルサイクロデキストリン、還元澱粉糖化物、還元麦芽糖などの化合物を用いることができる。
具体的には、例えば、ＴＫ−１６、ＴＫ−７５（いずれも商品名、松谷化学工業株式会社製）、ダイヤトールＮ、ダイヤトールＫ（いずれも商品名、サンエイ糖化株式会社製）、エスイー２０、エスイー５８（いずれも商品名、日研化学株式会社製）、ＰＯ−３００、ＰＯ−２０（いずれも商品名、東和化成工業株式会社製）などを揮発抑制物質として用いることができる。
なお、これらの化合物は、それぞれ単独で用いてもよく、また、２種類以上を組み合わせて用いてもよい。
また、揮発抑制物質の含有量は、ボールペン用インキの全量に対して０．１〜１０．０重量％程度が好ましい。揮発抑制物質の含有量が０．１重量％以下では、チップの先端の乾燥を十分に防止することができず、一方、揮発抑制物質の含有量が１０．０重量％以上では、紙面に転写された際に乾燥にしにくくなり、また、描線がにじみ易くなってしまうからである。
（潤滑剤）
また、潤滑剤としては、例えば、カリセッケン、リン酸エステル、リノール酸カリウム、オレイン酸カリウム、オレイン酸ナトリウム、グリセリン脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ペンタエリスリトール脂肪酸エステル、ポリオキシエチレンソルビタン脂肪酸エステル、ポリオキシエチレンゾルビット脂肪酸エステル、ポリオキシエチレングリセリン脂肪酸エステル、ポリエチレングリコール脂肪酸エステル、ポリオキシエチレンアルキレルエーテル、ポリオキシエチレンフィトステロール、ポリオキシエチレンポリオキシプロピレンアルキルエーテル、ポリオキシエチレンアルキルフェニルエーテル、ポリオキシエチレンヒマシ油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物などの化合物を用いることができる。
なお、これらの化合物は、それぞれ単独で用いてもよく、また、２種類以上を組み合わせて用いてもよい。
（防腐剤）
また、防腐剤としては、例えば、ナトリウムオマジンや、１‐２ベンゾイソチアゾリンなどの化合物を用いることができる。
なお、これらの化合物は、それぞれ単独で用いてもよく、また、２種類以上を組み合わせて用いてもよい。
（防錆剤）
また、防錆剤としては、例えば、サポニン、トリルトリアゾール、ベンゾトリアゾール、リン酸オクチル、チオリン酸ジオクチル、イミダゾール、ベンゾイミダゾール、２‐メルカプトベンゾチアゾール、オクチルオキシメタンホスホン酸、ジシクロヘキシルアンモニウム・ナイトライト、ジイソプロピルアンモニウム・ナイトライト、プロパルギルアルコール、ジアルキルチオ尿素などの化合物を用いることができる。
なお、これらの化合物は、それぞれ単独で用いてもよく、また、２種類以上を組み合わせて用いてもよい。
（ｐＨ調整剤）
また、ｐＨ調整剤としては、例えば、水酸化ナトリウム、水酸化カリウム、リン酸カリウム、水酸化カルシウム、炭酸ナトリウム、炭酸水素ナトリウム、アンモニア、メチルアミン、ジメチルアミン、トリメチルアミン、エチルアミン、ジエチルアミン、トリエチルアミン、プロピルアミン、ジプロピル、トリプロピルアミン、ブチルアミン、ジブチルアミン、トリブチルアミン、イソブチルアミン、ジイソブチルアミン、２‐ブタンアミン、Ｎ‐（１‐メチルプロピル）‐１‐プロパンアミン、Ｎ，Ｎ‐ジメチルブチルアミン、１，２‐ジメチルプロピルアミン、Ｎ‐エチル１，２‐ジメチルプロピルアミン、アリルアミン、ジアリルアミン、トリアリルアミン、Ｎ，Ｎ‐ジメチルアリルアミン、Ｎ‐メチルジアリルアミン、３‐ペンチルアミン、Ｎ，Ｎ‐ジイソプロピルエチルアミン、２‐（ヒドロキシメチルアミノ）エタノール、２‐アミノプロパノール、３‐アミノプロパノール、トリエタノールアミン、モノエタノールアミン、ジエタノールアミン、２‐アミノ２‐メチル‐１プロパノール、Ｎ‐イソブチルジエタノールアミン、３‐メトキシプロピルアミン、３‐プロピルオキシプロピルアミン、３‐イソプロピルオキシプロピルアミン、３‐ブトキシプロピルアミンなどの化合物を用いることができる。
なお、これらの化合物は、それぞれ単独で用いてもよく、また、２種類以上を組み合わせて用いてもよい。
（増粘剤）
また、増粘剤としては、例えば、アラビアガム、トラガカントガム、ローカストビーンガム、グアーガム、アルギン酸、アルギン酸塩、ペクチン、カラギーナン、ゼラチン、ガゼイン、ガゼインナトリウム、キサンタンガム、ラムザンガム、ウェランガム、ジェランガム、デキストラン、メチルセルロース、エチルセルロース、ヒドロキシエチルセルロース、カルボキシメチルセルロース、ヒドロキシプロピルセルロース、デンプングリコール酸ナトリウム、ラノリン誘導体、キトサン誘導体、ラクトアルブミン、ポリエチレンオキサイド、ポリエチレングリコール、ポリビニルアルコール、ポリビニルメチルエーテル、ポリビニルピロリドン及びその誘導体、ポリアクリル酸樹脂、架橋型ポリアクリル樹脂、ポリウレタン樹脂、カルボキシビニルポリマーなどの化合物を用いることができる。
具体的には、例えば、日本純薬株式会社製のジュンロンＰＷ‐１１１（商品名）、和光純薬株式会社製のハイビスワコー１０３（商品名）、三晶株式会社製のＫＥＬＺＡＮ、ＫＥＬＺＡＮ　ＡＲ、Ｋ１Ａ９６、Ｋ１Ａ１１２、レオザン、Ｋ７Ｃ２３３（いずれも商品名）、ローヌ・プーランジャパン株式会社製のＪＡＧＵＡＲ　ＨＰ‐８、ＪＡＧＵＡＲＨＰ‐６０、ＲＨＯＤＯＰＯＬ２３、ＲＨＯＤＯＰＯＬ　５０ＭＣ（いずれも商品名）、大日本製薬株式会社製のエコーガムＧＭ（商品名）などを増粘剤として用いることができる。
なお、これらの化合物は、それぞれ単独で用いてもよく、また、２種類以上を組み合わせて用いてもよい。
（水）
また、水は、ボールペン用インキの成分のうち、上記した着色剤から増粘剤までの成分以外の大部分を占めるものである。本実施の形態では、蒸留水、又はイオン交換水を用いている。
そして、水の含有量は、ボールペン用インキの全量に対して３０．０〜８０．０重量％程度が好ましい。水の含有量が３０．０重量％以下では、紙面に転写された際に極めて乾燥しにくくなり、また、チップの先端からのインキの流出量が低下してしまい、一方、水の含有量が８０．０重量％以上では、チップの先端が極めて乾燥し易くなり、また、インキが経時的に不安定になってしまうからである。
（その他）
また、上記した成分以外に、例えば、顔料の分散剤として、スチレンマレイン酸のアンモニウム塩や、スチレンアクリル酸のアンモニウム塩などの樹脂を添加することもある。
（ボールペン用インキの製造方法）
また、本実施の形態に係るボールペン用インキの製造方法は、他のボールペン用インキの製造方法と比べて特に異なるところはない。
即ち、本実施の形態に係るボールペン用インキは、上述した各成分を混合撹拌等することによって製造することができるものである。
（ボールペン）
次に、本発明に係るボールペンについて説明する。
本実施の形態に係るボールペンは、単位面積当たりのインキ消費量値が０．６４〜１．６ｍｇ／ｃｍ２となるように形成されているものであって、水を３０．０〜８０．０重量％含有し、揮発抑制物質を０．１〜１０．０重量％含有し、難揮発水溶性液体溶媒を１．０〜４０．０重量％含有するボールペン用インキが充填されている。
更に詳しくは、本実施の形態に係るボールペンは、チップ、及びインキタンクを備えている。
（チップ）
前記チップは、ボールとホルダーとを備え、ホルダーの先端側にボールを回転自在に保持させている。
前記ボールは、超硬合金によって形成されている。また、このボールの直径は、１．０ｍｍとされている。
また、前記ホルダーは、ステンレス製の線材を切削して形成されている。また、このホルダーには、ボールハウス及びインキ誘導孔などが設けられている。
そして、このチップは、ボールハウスにボールを収納した後に、ホルダーの先端近辺にカシメ部を形成することにより、ホルダーの先端側にボールを回転自在に保持させているのである。
また、ボールとホルダーとの間のクリアランスは、単位面積当たりのインキ消費量値が０．６４〜１．６ｍｇ／ｃｍ２程度となるように、即ち、太くて濃い字を書くことができるように調整されているのである。
なお、ボールは、例えば、焼入鋼によって形成してもよく、また、セラミックによって形成してもよい。
また、単位面積当たりのインキ消費量値が０．６４〜１．６ｍｇ／ｃｍ２程度となるように調整されれば、ボールの直径は、１．０ｍｍに限られず、例えば、０．９ｍｍとしてもよく、また、１．１ｍｍとしてもよい。
また、ホルダーは、例えば、洋白又は真鍮などの金属製の線材を切削して形成してもよく、また、例えば、パイプ鋼材を切削するなどして形成してもよい。
（インキタンク）
また、前記インキタンクは、樹脂製のチューブによって形成されている。また、このインキタンクは、上述したチップの後端側に連設されている。そして、このインキタンクに、上述したボールペン用インキが充填されているのである。
（ボールペンの製造方法）
また、本実施の形態に係るボールペンの製造方法は、他のボールペンの製造方法と比べて特に異なるところはない。
即ち、上述したようにチップを形成し、また、このチップの後端側にインキタンクを連設し、更に、このインキタンクにボールペン用インキを充填し、その後、遠心処理を行い、ボールペン用インキ内の空気を抜くことによって製造することができるものである。
（効果）
そして、単位面積当たりのインキ消費量値が０．６４〜１．６ｍｇ／ｃｍ２の範囲に形成されているボールペンに用いるボールペン用インキにおいて、水の含有量を３０．０〜８０．０重量％の範囲に調整し、揮発抑制物質の含有量を０．１〜１０．０重量％の範囲に調整し、難揮発水溶性液体溶媒の含有量を１．０〜４０．０重量％の範囲に調整することにより、紙面に転写された際の速乾性とチップの先端の非乾燥性とを両立させつつ、書き味の良さを維持することができるのである。
なお、水の含有量が３０．０重量％以下では、紙面に転写された際に極めて乾燥しにくくなってしまう。一方、水の含有量が８０．０重量％以上では、チップの先端が極めて乾燥し易くなってしまうのである。
また、揮発抑制物質の含有量が０．１重量％以下では、チップの先端の乾燥を十分に防止することができないこととなってしまう。一方、揮発抑制物質の含有量が１０．０重量％以上では、紙面に転写された際に乾燥にしにくくなり、また、描線がにじみ易くなってしまうのである。
また、難揮発水溶性液体溶媒の含有量が１．０重量％以下では、書き味の良さを十分に維持することができないこととなってしまう。一方、難揮発水溶性液体溶媒の含有量が４０．０％以上では、紙面に転写された際に乾燥しにくくなってしまうのである。
また、揮発抑制物質を、マルチトールを主成分とする還元糖、ソルビトールを主成分とする還元糖、還元オリゴ糖、還元マルトオリゴ糖、還元デキストリン、還元マルトデキストリン、α−サイクロデキストリン、β−サイクロデキストリン、マルトシルサイクロデキストリン、還元澱粉糖化物、還元麦芽糖、からなる群より選ばれる１又は２以上の化合物によって構成することにより、チップの先端の乾燥を確実に防止することができるのである。
また、難揮発水溶性液体溶媒を、グリセリン、プロピレングリコール、ポリエチレングリコールなどの多価アルコール類、エチレングリコールモノメチルエーテルなどのエーテル類、グリセリンのアルキレンオキサイド付加物、ポリグリセリンのアルキレンオキサイド付加物、トリメチロールプロパンのアルキレンオキサイド付加物、からなる群より選ばれる１又は２以上の化合物によって構成することにより、書き味の低下を確実に防止することができるのである。
更に、単位面積当たりのインキ消費量値が０．６４〜１．６ｍｇ／ｃｍ２の範囲に形成されているボールペンに、水の含有量を３０．０〜８０．０重量％の範囲に調整し、揮発抑制物質の含有量を０．１〜１０．０重量％の範囲に調整し、難揮発水溶性液体溶媒の含有量を１．０〜４０．０重量％の範囲に調整したボールペン用インキを充填することにより、紙面に転写されたインキの速乾性とチップの先端の非乾燥性とを両立させつつ、書き味も良いボールペンとすることができるのである。
以下、実施例及び比較例により、本発明を更に詳しく説明する。
（実施例１）
以下の成分を配合してボールペン用インキを製造した。
着色剤：カーボンブラック：７．０重量％
樹脂：スチレンアクリル酸樹脂アンモニウム塩：２．０重量％
難揮発水溶性液体溶媒：プロピレングリコール：１５．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．４重量％
増粘剤：カルボキシビニルポリマー：０．２重量％
水：イオン交換水：６９．６重量％
（実施例２）
以下の成分を配合してボールペン用インキを製造した。
着色剤：カーボンブラック：７．０重量％
樹脂：スチレンアクリル酸樹脂アンモニウム塩：２．０重量％
難揮発水溶性液体溶媒：プロピレングリコール：１５．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．４重量％
増粘剤：カルボキシビニルポリマー：０．４重量％
水：イオン交換水：６９．４重量％
（実施例３）
以下の成分を配合してボールペン用インキを製造した。
着色剤：カーボンブラック：７．０重量％
樹脂：スチレンアクリル酸樹脂アンモニウム塩：２．０重量％
難揮発水溶性液体溶媒：プロピレングリコール：１０．０重量％
揮発抑制物質：還元デキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：７１．６重量％
（実施例４）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：グリセリン：１５．０重量％
揮発抑制物質：マルチトール：３．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：７０．９重量％
（実施例５）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：グリセリン：２５．０重量％
揮発抑制物質：マルトシルサイクロデキストリン：５．０重量％
潤滑剤：リン酸エステル：０．８重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：５８．６重量％
（実施例６）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：ジエチレングリコール：１５．０重量％
揮発抑制物質：還元デキストリン：５．０重量％
潤滑剤：リン酸エステル：０．８重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：６８．６重量％
（実施例７）
以下の成分を配合してボールペン用インキを製造した。
着色剤：フタロシアニンブルー：１．５重量％
着色剤：酸化チタン：２０．０重量％
樹脂：スチレンマレイン酸樹脂アンモニウム塩：２．５重量％
難揮発水溶性液体溶媒：ジグリセリンプロピレンオキサイド４モル付加物：５．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：キサンタンガム：０．４重量％
水：イオン交換水：６４．５重量％
（比較例１）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：グリセリン：１５．０重量％
揮発抑制物質：なし
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：７３．９重量％
（比較例２）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：グリセリン：１５．０重量％
揮発抑制物質：マルチトール：１１．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：６２．９重量％
（比較例３）
以下の成分を配合してボールペン用インキを製造した。
着色剤：カーボンブラック：７．０重量％
樹脂：スチレンアクリル酸樹脂アンモニウム塩：２．０重量％
難揮発水溶性液体溶媒：なし
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．４重量％
増粘剤：カルボキシビニルポリマー：０．４重量％
水：イオン交換水：８４．４重量％
（比較例４）
以下の成分を配合してボールペン用インキを製造した。
着色剤：カーボンブラック：７．０重量％
樹脂：スチレンアクリル酸樹脂アンモニウム塩：２．０重量％
難揮発水溶性液体溶媒：プロピレングリコール：４５．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．４重量％
増粘剤：カルボキシビニルポリマー：０．４重量％
水：イオン交換水：３９．４重量％
（比較例５）
以下の成分を配合してボールペン用インキを製造した。
着色剤：フタロシアニンブルー：１．５重量％
着色剤：酸化チタン：３８．０重量％
樹脂：スチレンマレイン酸樹脂アンモニウム塩：３．５重量％
難揮発水溶性液体溶媒：ジグリセリンプロピレンオキサイド４モル付加物：２２．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：キサンタンガム：０．２重量％
水：イオン交換水：２８．７重量％
（比較例６）
以下の成分を配合してボールペン用インキを製造した。
着色剤：フタロシアニンブルー：１．５重量％
着色剤：酸化チタン：２．５重量％
樹脂：スチレンマレイン酸樹脂アンモニウム塩：２．０重量％
難揮発水溶性液体溶媒：ジグリセリンプロピレンオキサイド４モル付加物：５．０重量％
揮発抑制物質：マルトシルサイクロデキストリン：５．０重量％
潤滑剤：カリセッケン：０．５重量％
防腐剤：ナトリウムオマジン：０．２重量％
防錆剤：サポニン：０．１重量％
ｐＨ調整剤：アミノメチルプロパノール：０．３重量％
増粘剤：キサンタンガム：０．４重量％
水：イオン交換水：８２．５重量％
（比較例７）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：ジエチレングリコール：４５．０重量％
揮発抑制物質：なし
潤滑剤：リン酸エステル：０．８重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：４３．６重量％
（比較例８）
以下の成分を配合してボールペン用インキを製造した。
着色剤：フタロシアニンブルー：７．５重量％
樹脂：スチレンマレイン酸樹脂アンモニウム塩：２．２重量％
難揮発水溶性液体溶媒：なし
揮発抑制物質：還元デキストリン：１１．０重量％
潤滑剤：リン酸エステル：０．８重量％
防腐剤：ナトリウムオマジン：０．２重量％
防錆剤：サポニン：０．１重量％
ｐＨ調整剤：アミノメチルプロパノール：０．３重量％
増粘剤：カルボキシビニルポリマー：０．３重量％
水：イオン交換水：７７．６重量％
（ボールペン用インキ、及びボールペンについての評価）
上記実施例１から７まで、及び比較例１から８までの各ボールペン用インキについて、経時的安定性の評価を行った。又、これらを充填した各ボールペンについて、描線の速乾性、描線のにじみ、チップの先端の非乾燥性、及び書き味の各項目の評価を行った。
評価にあたり、まず、上記各ボールペン用インキを、ボールの直径が１．０ｍｍであり、かつ、単位面積当たりのインキ消費量値が０．６４〜１．６ｍｇ／ｃｍ２の範囲に形成されているボールペンにそれぞれ充填した。
そして、各ボールペンについて筆記試験を行った。
筆記試験は、ＩＳＯ規格１４１４５−１に準拠した筆記試験機を用い、筆記速度４．５ｍ／分、筆記角度６０°、筆記負荷１００ｇの条件で「らせん筆記」し、ボールペン用インキを使い切るまで行った。
また、筆記試験用紙には、ＩＳＯ規格１４１４５−１に準拠したものを用いた。
ここで、描線の速乾性は、上記筆記試験の結果を下記の基準で判断することにより、「○」「△」「×」の３段階で評価した。
（イ）筆記後３０秒以内に描線が乾燥した。→　評価「○」
（ロ）筆記後３０秒〜１分以内に描線が乾燥した。→　評価「△」
（ハ）筆記後１分以内に描線が乾燥しなかった。→　評価「×」
また、描線のにじみは、上記筆記試験の結果を下記の基準で判断することにより、「○」「△」「×」の３段階で評価した。
（イ）にじみがなく、鮮明な筆跡であった。→　評価「○」
（ロ）にじみがあり、多少不鮮明な筆跡であった。→　評価「△」
（ハ）にじみが著しく、極めて不鮮明な筆跡であった。→　評価「×」
また、チップの先端の非乾燥性は、キャップを外し、かつ、横向きに置いた状態で、気温２５℃、湿度６５％の環境下に１ヶ月間保管した上記各ボールペンについて、上記と同様の筆記試験を行い、その結果を下記の基準で判断することにより、「○」「△」「×」の３段階で評価した。
（イ）描線のかすれが認められず、良好に筆記できる。→　評価「○」
（ロ）描線のかすれが多少認められるが、概ね良好に筆記できる。→　評価「△」
（ハ）ほとんど筆記できない。→　評価「×」
また、書き味は、上記各ボールペンについて、手書きにて「らせん筆記」を行い、その結果を下記の基準で判断することにより、「○」「△」「×」の３段階で評価した。
（イ）滑らかで安定した書き味であった。→　評価「○」
（ロ）ややゴツゴツした硬い書き味であった。→　評価「△」
（ハ）ゴツゴツした硬い書き味であった。→　評価「×」
また、インキの経時的安定性は、製造直後の上記各ボールペン用インキと、ガラス瓶に封入して、気温５０℃の環境下で１ヶ月間保管した上記各ボールペン用インキとについて粘度測定を行い、その結果を下記の基準で判断することにより、「○」「×」の２段階で評価した。
（イ）粘度変化がほとんど認められなかった。→評価「○」
（ロ）著しい粘度変化が認められた。→評価「×」
下記の表１に、上記各ボールペン用インキについての経時的安定性の評価と共に、上記各ボールペンについての描線の速乾性、描線のにじみ、チップの先端の非乾燥性、及び書き味の各項目の評価を示す。
なお、表１中、「Ａ」は「描線の速乾性」を、「Ｂ」は「描線のにじみ」を、「Ｃ」は「チップの先端の非乾燥性」を、「Ｄ」は「書き味」を、「Ｅ」は「インキの経時的安定性」を示す。
2001048103.tif 000002
このように、実施例１から７までのボールペン用インキについては、描線の速乾性、描線のにじみ、チップの先端の非乾燥性、書き味、及び経時的安定性のいずれの項目の評価も「○」又は「△」であった。即ち、これらのボールペン用インキは、紙面に転写された際の速乾性とチップの先端の非乾燥性とを両立させつつ、書き味の良さを維持することができるのである。また、これらのボールペン用インキは、紙面に転写された際ににじみにくく、更に、経時的安定性にも優れている。
一方、比較例１から８までのボールペン用インキについては、描線の速乾性、描線のにじみ、チップの先端の非乾燥性、書き味、及び経時的安定性のいずれかの項目の評価が「×」であった。即ち、これらのボールペン用インキは、紙面に転写された際の速乾性とチップの先端の非乾燥性とを両立させつつ、書き味の良さを維持することができないのである。また、これらのボールペン用インキの中には、紙面に転写された際ににじみ易かったり、あるいは経時的に不安定であったりするものもあった。
更に、水の含有量の限界数値についての実験を行ったところ、少なくとも３０．０〜８０．０重量％の範囲においては、紙面に転写された際の速乾性に優れ、また、経時的にも安定であることが確認された。
また、水の含有量が３０．０重量％以下では、紙面に転写された際に極めて乾燥しにくくなり、一方、水の含有量が８０．０重量％以上では、チップの先端が極めて乾燥し易くなり、また、経時的に不安定になってしまうことが確認された。
また、揮発抑制物質の含有量の限界数値についての実験を行ったところ、少なくとも０．１〜１０．０重量％の範囲においては、チップの先端の乾燥を十分に防止することができ、また、描線もにじまないことが確認された。
また、揮発抑制物質の含有量が０．１重量％以下では、チップの先端の乾燥を十分に防止することができず、一方、揮発抑制物質の含有量が１０．０重量％以上では、紙面に転写された際に乾燥にしにくくなり、また、描線がにじみ易くなってしまうことが確認された。
また、難揮発水溶性液体溶媒の含有量の限界数値についての実験を行ったところ、少なくとも１．０〜４０．０重量％の範囲においては、書き味の良さを十分に維持することができ、また、紙面に転写された際の速乾性も損なわないことが確認された。
また、難揮発水溶性液体溶媒の含有量が１．０重量％以下では、書き味の良さを十分に維持することができず、一方、難揮発水溶性液体溶媒の含有量が４０．０％以上では、紙面に転写された際に乾燥しにくくなってしまうことが確認された。
なお、本発明は、上記実施例に限定されるものではない。
産業上の利用可能性
以上説明したように、請求項１ないし３に記載した発明によれば、太くて濃い字を書くためのボールペンに用いるボールペン用インキであって、紙面に転写された際の速乾性に優れ、また、チップの先端を乾燥させにくく、更に、書き味をも良くするボールペン用インキを提供することができるのである。
更に、本発明のうち請求項４に記載した発明は、太くて濃い字を書くためのボールペンであって、紙面に転写されたインキが乾燥し易く、また、チップの先端は乾燥しにくく、更に、書き味も良いボールペンを提供することができるのである。
【国際調査報告】
2001048103.tif 000003
2001048103.tif 000004
2001048103.tif 000005
2001048103.tif 000006